(57)【要約】【目的】ハンマーとの接触により生じるスライドの抵抗を効果的に減少させ、迫力のあるブローバックが得られるようにする。【構成】蓄圧部１１から噴出したガスにより、銃身後方へ移動し、その後前方へ移動可能に設けられているスライド２１を有するブローバック玩具銃であり、スライド２１の移動により、ハンマー１８との間に生じる接触抵抗の減少のために、抵抗低減部２３をスライド２１又はハンマー１８の少なくともどちらか一方に設け、抵抗低減部２３はハンマー１８又はスライド２１との接触により回転可能に設けられている。円筒面又は球面等の曲面を有するものから成る。【選択図】        図１
2004205053.tif 000002
【特許請求の範囲】
【請求項１】
蓄圧部から噴出したガスにより、銃身後方へ移動し、その後前方へ移動可能に銃本体に設けられている、スライドを有するブローバック玩具銃において、スライドの移動により、ハンマーとの間に生じる接触抵抗の減少のために、抵抗低減部をスライド又はハンマーの少なくともどちらか一方に設け、抵抗低減部はハンマー又はスライドとの接触により回転可能に設けられている、円筒面又は球面等の曲面を有するものから成ることを特徴とするブローバック玩具銃におけるスライド装置。
【請求項２】
抵抗低減部は外部から見えずかつハンマー前面と接触する位置にてスライド後端の下部に設けられている請求項１記載のブローバック玩具銃におけるスライド装置。
【請求項３】
スライド内又は銃本体内に納まって露出しないハンマーを有するものにおいて、スライド後端と接触するハンマー側に抵抗低減部を設けている請求項１記載のブローバック玩具銃におけるスライド装置。
【発明の詳細な説明】
【０００１】
【発明の属する技術分野】
本発明は、蓄圧部から噴出したガスにより、銃身後方へ移動し、その後、前方へ移動可能に銃本体に設けられている、スライドを有するブローバック玩具銃におけるスライド装置に関するものである。
【０００２】
【従来の技術】
ブローバック玩具銃は、ガス圧や少量の火薬を使用して、弾丸を発射すると同時にスライドを後退させる機構を備え、実銃の動作を摸したものである。しかし実銃の薬量はスライドのブローバックには十分過ぎるほどであるのに対して、ブローバック玩具銃の場合には量、圧力共に最小限度に近い程度しか利用することができないため、スライド時の抵抗が大きいときにはブローバック動作が鈍り、迫力に欠けるという問題があった。
【０００３】
スライドに加わる最大の抵抗はスライドブリーチつまり移動体の下部とハンマーとの接触によって生じる。ハンマーつまり撃鉄は、ブローバック時にスライドによって引き起こされコッキング状態となるが、引き金操作により、撃針に相当する開閉弁を閉じているばね力に対抗して開弁させる撃発ばねを持っているため、スライドの後退動作を鈍らせる大きな要因になっている。この抵抗軽減のためにスライドブリーチを丸く整形することも行われているが、あまり効果は期待できない。
【０００４】
【発明が解決しようとする課題】
本発明は前記の点に着目してなされたもので、その課題は、ハンマーとの接触によって生じるスライドの抵抗を効果的に減少させ、それにより迫力のあるブローバックが得られるようにすることである。また本発明の他の課題は、蓄圧部に貯留されているガスの消費量を節減可能にすることである。
【０００５】
【課題を解決するための手段】
前記の課題を解決するため、本発明は、蓄圧部から噴出したガスにより、銃身後方へ移動し、その後前方へ移動可能に銃本体に設けられている、スライドを有するブローバック玩具銃において、スライドの移動により、ハンマーとの間に生じる接触抵抗の減少のために、抵抗低減部をスライド又はハンマーの少なくともどちらか一方に設けるという手段を講じたものである。
【０００６】
ブローバック玩具銃は、銃本体に設けられているスライドを有し、蓄圧部から噴出したガスによりスライドは銃身後方へ移動させられ、所謂ブローバック動作を行う。ブローバック動作では、スライドの後方移動時（往復時）にガスを消費するが、前方移動時（復動時）にはリコイルスプリングＲの弾性力を受ける（図６）。Ｓはスプリング軸である。このようなブローバック玩具銃にはハンマーが設けられており、ハンマーは後方移動時にスライドと接触して引き起こした状態とされる（図５又は図１）。
【０００７】
上記のようなスライドの往動により、ハンマーとの間に生じる接触抵抗の減少のために、抵抗低減部をスライド又はハンマーの少なくともどちらか一方に設ける。抵抗低減部は、ハンマー又はスライドとの接触により回転可能として滑りを生じるように設けられている、円筒面又は球面等の曲面を有するものから成る。抵抗低減部の代表的なものはローラー類、ボール類である。
【０００８】
ローラー類、ボール類から成る抵抗低減部をスライド部又はハンマーにどのように設けるかは自由である。またローラー類やボール類は軸支されていても良いしされていなくても良い。しかし、ブローバック玩具銃が実銃をモデル化したものであることを考えるとき、抵抗低減部は外から見えないか或いは見えにくい箇所を選んで設けることが望ましい。
【０００９】
【発明の実施の形態】
以下図示の実施形態を参照し本発明をより詳細に説明する。図１ないし図５は本発明装置における例１の要部を示しており、全体は図６に示されている。図２おいて、１１は蓄圧部であるガスタンク、１２はガス出口を開閉可能な常閉の開閉弁、１３は開閉弁直後のガス通路であり、スライド２１に設けられている前方ガス通路１４と後方ガス通路１５にガスを供給可能である。
【００１０】
開閉弁１２は、引き金１６の操作によりリンク１７を介してハンマー１８が撃発動作に移ったときに中間部材１９を介して開弁し、その後スライド２１の後方移動（往動）によりハンマー１８が引き起こされるに伴って再び閉弁する。１２ａは閉弁ばね、１８ａは撃発ばねを夫々示しており、後者のばね力は前者のばね力よりも強力である。スライド２１は銃本体１０のスライド溝と係合する係合構造により前後方向へ移動可能に設けられており、前方下部に前後方向に設けた前記のスプリング軸Ｓを有し、それに捲装されたりコイルスプリングＲにより前方へ移動（復動）可能に構成されている。
【００１１】
このような構成を有するスライド２１の後端の下部にて、ハンマー１８の前面２２と接触する外部から見えない位置には、抵抗低減部２３として１個のローラーが設けられている。例示のローラーは中心軸２４によってスライド側に回転可能に設けられている。
【００１２】
今、蓄圧部１１にガスが充填され、弾丸装填部２５に弾丸２６が装填された状態において（図１）、引き金１６を引くと、ハンマー１８が回転して、開弁した開閉弁１２からガスがガス通路１３に放出される。ガスは可動弁２７から前方ガス通路１４を経て、弾丸装填部に装填されている弾丸２６を移動させ、その一方では、後方ガス通路１５を経てシリンダ２８に流入し、ピストン２９を加圧し、ピストン２９と一体のスライド２１の後方への移動（往動）を開始し得る状態になる（図２）。
【００１３】
弾丸２６が銃身３１から発射され、可動弁２７が前方ガス通路１４を閉じると同時に、図３に示すようにブローバックが始まりスライド２１が銃身後方へ移動し、その結果スライドブリーチがハンマー１８の前面に接触する状態になる。このとき、スライド２１のブリーチ部にはローラーが設けられているためこれを抵抗低減部２３として軽い抵抗力でハンマー１８が押される状態となる。スライド２１の後方移動の間ローラーがハンマー前面２２を滑動するので、ハンマー１８はスムーズに引き起こし状態となりシアー３２により係止され、所謂コッキング状態となる（図４）。
【００１４】
この間に開閉弁１２が閉じるが、スライド２１はその後も慣性により限界位置まで後方移動を継続する（図５）。例示の場合スライド２１の下面よりもローラー下端の方が下に位置しているため、ハンマー１８を通過した後抵抗低減部２３はスライド２１とは接触せず抵抗とならないから、全体としての接触抵抗も著しく減少する。
【００１５】
例１はスライド２１の外部から見えない位置に抵抗低減部２３を設けた装置を構成しているが、これとは逆の形態も可能であるから、その例を図７によって説明する。図７に示す例２は、ハンマー３３がスライド３４の後方空洞部３５の内部に納まる構成を持ち、空洞部３５の前端のスライドブリーチ３６によりハンマー３３前面と接触する形態を持っている。このハンマー３３の前面側にローラーが抵抗低減部３７として支軸３８によって回転可能に軸支されている。
【００１６】
ハンマー３３を押す例２では撃発ばね３３ａの形態が例１と異なっており、他にも形状、構造の相違する点はあるが、基本的構成については例１、例２共通で良いので、それらについては符号を援用し詳細な説明を省略する。例２の場合、抵抗低減部３７のローラーはスライド３４の内部に完全に隠れる状態となる。
【００１７】
例１、例２に示したように、本発明のスライド装置では、ローラーなどの抵抗低減部２３、３７により、スライド２１、３４の動きが滑るようにスムーズになる。この著しい抵抗の低減と同時に、接触時の衝撃が緩和されるので、衝撃音も小さくなる。特に衝撃や衝撃音の減小を望む場合には、抵抗低減部２３、３７のハンマー１８、３３又はスライド２１、３４との接触部を弾力性を有する樹脂材料を使用することが好適である。
【００１８】
【発明の効果】
本発明は以上の如く構成されかつ作用するものであるから、ハンマーとの接触によって生じるスライドのブローバックに伴う抵抗を著しく減少することができるので、それによってスライドのブローバック動作が勢い良く、節度感をもって行われるようになり、迫力を増す、その一方では、抵抗減少に伴いガス消費量も低減するので、冬期に屋外で使用するときや、弾丸なしの引き金操作所謂空撃ち時にも銃口からガスが放出されるタイプの玩具銃などにおけるガス補充間隔の延長に寄与する。
【図面の簡単な説明】
【図１】本発明に係るブローバック玩具銃におけるスライド装置の例１に関する発射準備完了状態を示す説明図。
【図２】引き金が引かれハンマーが回転しガスが放出された状態を示す説明図。
【図３】ブローバックが始まりスライドがハンマーに接触した状態を示す説明図。
【図４】後退するスライドとハンマーとの接触がピークとなる状態を示す説明図。
【図５】ハンマーのコッキングの完了とスライド後退限界とを示す説明図。
【図６】例１のスライド装置を適用したブローバックガンの全体説明図。
【図７】本発明装置の例２に関するガス放出時における説明図。
【符号の説明】
１１  蓄圧部
１８、３３  ハンマー
２１、３４  スライド
２２  ハンマー前面
２３、３７  抵抗低減部としてのローラー
３１  銃身
【図１】
2004205053.tif 000003
【図２】
2004205053.tif 000004
【図３】
2004205053.tif 000005
【図４】
2004205053.tif 000006
【図５】
2004205053.tif 000007
【図６】
2004205053.tif 000008
【図７】
2004205053.tif 000009